(57)【特許請求の範囲】
【請求項１】
容器内に収容された巻線と、この巻線に設けられたタップを切り換えるためのタップ切換機構とを具備したものにおいて、
前記タップ切換機構は、タップ切換器と、このタップ切換器の切換操作部とから成り、
前記タップ切換器は前記容器の側壁部に形成された開口部に設けられた着脱可能なカバーの内側に取付けられ、前記切換操作部は前記カバーの外側に取付けられていることを特徴とする静止誘導機器。
【請求項２】
巻線の近傍に絶縁部材が設けられ、カバーを開口部に取付けたとき、巻線のタップとタップ切換器とを接続する接続リード線の途中部分は、前記絶縁部材により巻線側と絶縁されることを特徴とする請求項１記載の静止誘導機器。
【請求項３】
容器内には冷媒が充填され、開口部は前記容器の下部近傍に設けられていることを特徴とする請求項１または２記載の静止誘導機器。
【発明の詳細な説明】
【０００１】
【発明の属する技術分野】
本発明はタップ切換機構の取り付け構造を改良した静止誘導機器に関する。
【０００２】
【発明が解決しようとする課題】
静止誘導機器、例えば容器内に冷媒が封入された自冷式の変圧器においては、冷媒、例えばＳＦ６ガスの温度が上下で異なるため、構造上、高温に耐えられないタップ切換機構はＳＦ６ガスの温度が低い下部近傍の容器側壁に取付けられている。
【０００３】
この種の変圧器の従来例としては、例えば図３に示されるものがある。このものは、容器１の側壁１ａに取付けられたタップ切換機構２の上方に位置して開口部３が設けられている。そして、この開口部３から手を入れてタップ切換機構２のタップ切換器２ａと、巻線４のタップとの接続作業を行い、接続作業が終了すると、カバー５で開口部３を塞ぐようになっている。
【０００４】
また、他の従来例として図４に示されるものもある。このものは、容器６が下部容器７と上部容器８とに分割される構成で、下部容器７の側壁７ａにタップ切換機構９が取付けられている。そして、タップ切換器９ａと巻線１０のタップとの接続作業を行った後、下部容器７に上部容器８を被せ、両容器７，８の接触面を溶接等で固定するようになっている。
【０００５】
しかしながら、上記した従来の変圧器においては、いずれの場合もタップ切換器２ａ，９ａと巻線４，１０のタップとの接続作業を行う際に、タップ切換器２ａ，９ａと巻線４、１０との間に所定の間隔をとって作業スペースを確保する必要があり、また、タップ切換機構２，９は、構造上、タップ切換器２ａ，９ａと切換操作部２ｂ，９ｂとの間にある間隔を設ける必要があるため、その結果、容器１、６側面と巻線４、１０との距離Ｌ１、Ｌ２が大きくなって容器１、６の寸法が大きくなるという欠点があった。
【０００６】
さらに、上記した従来の変圧器のうち後者のものでは、タップ切換器９ａと巻線１０のタップとの接続作業を行った後、下部容器７と上部容器８とを溶接等で固定する構成であるため、固定した後はタップ切換機構９の動作点検やタップ切換器９ａとタップとの接続具合等の点検を容易に行うことができないという欠点があった。
【０００７】
本発明は上記事情に鑑みてなされたもので、その目的は、全体の小形化を図り得ると共にタップ切換器と巻線のタップとの接続を容易に行うことができ、且つ組み立て後の点検が容易な静止誘導機器を提供するにある。
【０００８】
【課題を解決するための手段】
本発明の静止誘導機器は、容器内に収容された巻線と、この巻線に設けられたタップを切り換えるためのタップ切換機構とを具備するものであって、前記タップ切換機構はタップ切換器と、このタップ切換器の切換操作部とから成り、前記タップ切換器は、前記容器の側壁部に形成された開口部に設けられた着脱可能なカバーの内側に取り付けられ、前記切換操作部は前記カバーの外側に取付けられていることを特徴とする（請求項１）。
【０００９】
このとき、巻線の近傍に絶縁部材を設け、カバーを開口部に取付けたとき、巻線のタップとタップ切換器とを接続する接続リード線の途中部分が、前記絶縁部材により巻線側と絶縁されるようにすることが望ましい（請求項２）。
また、容器内に冷媒を充填し、開口部を前記容器の下部近傍に設けるようにすると良い（請求項３）。
【００１０】
【発明の実施の形態】
本発明の一実施例を静止誘導機器である変圧器に適用した場合について図１及び図２に基づいて説明する。図１は変圧器の全体構成を示しており、立方体をなす容器１１の内部に変圧器本体１２が収容されている。変圧器本体１２は、鉄心１３に巻線１４を装着して構成されており、図示しない脚部により容器１１底部に固定されている。
【００１１】
容器１１の側壁部１１ａには、前記巻線１４より下方に位置する容器１１の下部近傍に開口部１５が形成されており、この開口部１５には着脱可能なカバー１６が設けられている。カバー１６には、巻線１４に設けられた複数本のタップ（図示せず）を接続リード線１７を介して切換えることにより変圧比を変えるタップ切換機構１８が設けられている。以下、タップ切換機構１８について詳述する。
【００１２】
タップ切換機構１８は、カバー１６の外面側に取付けられた切換操作部１９と、カバー１６の内面側に支持パイプ２０を介して取付けられたタップ切換器２１とから構成されている。タップ切換器２１は支持パイプ２０内に挿通されたシャフト２２にて前記切換操作部１９と連結されており、詳しくは図示しないが、複数本の接続リード線１７が接続される固定接点部と、これに接して回転切替えをする可動接点部とを有する。そして、切換操作部１９の操作レバー１９ａを回転操作することにより、シャフト２２を介してタップ切換器２１の可動接点部が回転され、タップ切換えが為されるようになっている。
【００１３】
また、前記接続リード線１７の長さは、カバー１６を取外してタップ切換器２１を容器１１外に取り出した状態で（図１に示す状態）、タップ切換器２１と接続リード線１７の端部との接続が可能な長さに設定されている。そして、容器１１内には、巻線１４の下方に位置してＬ字形状の絶縁部材２３が設けられており、各面がそれぞれ鉄心１３と容器１１の底面と対向するようになっている。そして、図２に示すように、カバー１６を開口部１５に取付けたとき、接続リード線１７及びタップ切換器２１が絶縁部材２３に収容されるようになっている。
【００１４】
尚、容器１１内には、変圧器本体１２を冷却するための冷媒、例えばＳＦ６ガス２４が封入されている。このＳＦ６ガス２４は、発生熱源たる鉄心１３及び巻線１４付近で熱を奪うことによる温度上昇に伴って上に流れ、放熱されることによって下降する自然対流を繰り返すことにより鉄心１３及び巻線１４を冷却するものである。
【００１５】
而して、上記した構成の本実施例によれば、着脱可能なカバー１６にタップ切換機構１８が設けられ、カバー１６を取外してタップ切換器２１を容器１１外に取出した状態でタップ切換器２１に接続リード線１７を接続することができるので、従来構成（図３及び図４参照）のように容器内に手を入れて接続する場合に比して作業が容易になる。
【００１６】
また、接続作業を容器１１外で行うため、タップ切換器２１と巻線１４との間に作業スペースを確保する必要がないので、容器１１側面と巻線１４との距離を短くすることができる。しかも、巻線１４の下方に位置して絶縁部材２３が設けられ、カバー１６を開口部１５に取付けたときにタップ切換器２１及び接続リード線１７は前記絶縁部材２３に収容されるので、接続作業を容器１１外で行うために必要な長さを有する接続リード線１７がたるんで巻線１４側の鉄心１３や容器１１と接触することがなく絶縁される。
【００１７】
また、タップ切換機構１８は構造上、高温に耐えられないものであるが、温度の低い状態にあるＳＦ６ガス２４が存在する容器１１の下底部近傍に位置して設けられているため、高温雰囲気下におかれることがない。
【００１８】
さらに、カバー１６は開口部１５に着脱可能に取り付けられているため、変圧器を組み立てた後も、タップ切換機構１８の点検あるいはタップ切換器２１と接続リード線１７との接続の点検等を容易に実施することができる。
なお、本発明は変圧器に限られず、その他、リアクトルなどの静止誘導機器に適用しても良い。
【００１９】
【発明の効果】
以上の説明から明らかなように、本発明の静止誘導機器によれば、タップ切換器とタップとの接続を容器外にて行うことができるので作業性が良く、また、そのために、容器内に接続作業を行うためのスペースを確保しなくても良いので機器全体の小形化を図ることができる（請求項１）。
【００２０】
また、タップ切換機構を容器の下底部近傍に設けることにより、高温雰囲気下におかれることがない（請求項３）。
【図面の簡単な説明】
【図１】本発明の一実施例の変圧器を示し、カバーを取外した状態の縦断側面図
【図２】タップ切換機構付近の拡大図
【図３】第１の従来例を示す図１相当図
【図４】第２の従来例を示す図１相当図
【符号の説明】
１１は容器、１４は巻線、１５は開口部、１６はカバー、１７は接続リード線、１８はタップ切換機構、１９は切換操作部、２１はタップ切換器、２３は絶縁部材、２４はＳＦ６ガス（冷媒）を示す。
【図１】
0003582906.tif 000002
【図２】
0003582906.tif 000003
【図３】
0003582906.tif 000004
【図４】
0003582906.tif 000005